(57)【要約】【課題】ディスクに配置されたＲＦＩＤタグとリーダ・ライタを使って、複数枚のディスクの管理が良好にできるようにする。【解決手段】ディスクケース１０は、ケース内のディスク１に配置された非接触ＩＣタグ２ｂの近傍とケースの端面とを中継するブースタアンテナ３を備える。複数のディスクケースを収納する収納棚２０は、複数のディスクケースを１つずつ個別に配置するディスクケース配置部２２と、ディスクケース配置部の１つのディスクケース配置箇所ごとに設けられ、端面と接する位置に配置された複数のリーダ・ライタ用アンテナ２１ａ〜２１ｎとを備える。さらに、複数のリーダ・ライタ用アンテナは、スイッチを介して選択的にリーダ・ライタ部と接続する。そのリーダ・ライタ部での非接触ＩＣタグとの通信に基づいて、ディスクケース配置部のそれぞれの配置箇所に配置されたディスクケース１０内のディスク１を認識して、認識したディスクの収納位置をデータベースとして管理する。【選択図】図１
2010205345.tif 000002
【特許請求の範囲】
【請求項１】
複数のディスクケースを収納して管理するディスク管理システムにおいて、
収納される前記ディスクケースとして、
ケース内のディスクに配置された非接触無線を行うタグの近傍とケースの端面とを中継するブースタアンテナを備え、
前記複数のディスクケースを収納する収納棚として、
前記複数のディスクケースを１つずつ個別に配置するディスクケース配置部と、
前記ディスクケース配置部の１つのディスクケース配置箇所ごとに設けられ、前記端面と接する位置に配置された複数のリーダ・ライタ用アンテナとを備え、
前記収納棚の複数のリーダ・ライタ用アンテナは、スイッチを介して選択的にリーダ・ライタ部と接続し、
前記リーダ・ライタ部での前記リーダ・ライタ用アンテナ及び前記ブースタアンテナを介した前記非接触無線を行うタグとの通信に基づいて、前記ディスクケース配置部のそれぞれの配置箇所に配置されたディスクケース内のディスクを認識して、認識したディスクの収納位置をデータベースとして管理する管理部を備えたことを特徴とするディスク管理システム。
【請求項２】
請求項１記載のディスク管理システムにおいて、
前記管理部は、前記データベースと一致しない位置にディスクが配置された場合に警告動作を行うことを特徴とするディスク管理システム。
【請求項３】
請求項２記載のディスク管理システムにおいて、
前記警告動作は、前記ディスクケース配置部の１つずつのディスクケース配置箇所ごとに設けた点灯手段で行うことを特徴とするディスク管理システム。
【請求項４】
請求項１記載のディスク管理システムにおいて、
前記管理部は、前記データベースで管理しているディスクが前記ディスクケース配置部に収納されていないことを検出した場合に警告動作を行うことを特徴とするディスク管理システム。
【発明の詳細な説明】
【技術分野】
【０００１】
本発明は、ケースに収納されたディスクを管理するディスク管理システムに関する。
【背景技術】
【０００２】
従来、ＣＤ（（Compact Disc），ＤＶＤ（Digital Versatile Disc）などのディスクメディアを管理する手法として、ディスクの一部にＲＦＩＤ（（Radio Frequency IDentification）タグを貼付けて、必要な際にそのＲＦＩＤタグの情報を読み書きするものがある。例えば、図書館などの多くのディスクメディアを保管する場所において、保管する１枚１枚のディスクの表面に、それぞれの識別コードなどを書き込んだＲＦＩＤタグを貼付けておく。そして、ディスクの貸し出しや返却などの受付け時に、ディスクＲＦＩＤタグをリーダ・ライタで読み取って、貸し出しの管理を行う。このようにすることで、貸し出し中のディスクなどが判り、ディスクの管理が容易に行えるようになる。
【０００３】
このように１枚ずつのディスクにＲＦＩＤタグを貼付けて、ディスクの貸し出しや返却時に、リーダ・ライタでＲＦＩＤタグを読み取らせることで、ディスク管理が行えるが、あくまでもリーダ・ライタに１枚ずつ近接させて、読み取らせる必要がある。
【０００４】
これに対して、収納棚にディスクを収納させた状態で、各ディスクに貼付けたＲＦＩＤタグを読み取らせることについて提案されている（特許文献１参照）。
図７〜図９は、この先に提案されているシステムの例を示したものである。
まず図７（ａ）に示すようにＤＶＤなどの管理したいディスク１を用意し、ＲＦＩＤタグ２ｂとコイルアンテナ２ｃとが貼られたタグシート２を用意する。そして、図７（ｂ）に示すように、ディスク１の信号記録面とは反対側の面（いわゆるレーベル面）に、そのタグシート２を貼付ける。図７の例では、ディスク１の中心の孔１ａの周囲に、タグシート２を貼付けるようにしてある。タグシート２には、ディスク１の孔１ａよりも若干大きな孔２ａを有する。
【０００５】
図７（ｂ）に示すように、ディスク１にタグシート２を貼付けることで、このディスク１の中心付近（即ちタグシート２の箇所）を図示しないリーダ・ライタに近接させることで、リーダ・ライタからの電磁誘導による近距離無線通信で、ＲＦＩＤタグ２ｂ内のメモリからデータが読み出されると共に、必要によりデータがＲＦＩＤタグ２ｂ内のメモリに書き込まれる。ここでのリーダ・ライタとＲＦＩＤタグ２ｂとの近距離無線通信とは、例えば数センチ程度の近距離を想定している。
【０００６】
しかしながら、この図７に示したようにディスク１に直接タグシート２を貼付けた場合、合成樹脂で成形されたディスクケースにディスク１を収納させて、複数のディスクケースを並べて収納棚に収めた状態では、リーダ・ライタによる読み取りは困難である。
【０００７】
特許文献１に記載の技術は、この問題を解決するものであり、合成樹脂で成形されたディスクケース１０として、収納されたディスクの中心近傍と、ケース１０の端面１７とを結ぶブースタアンテナ３を設けたものである。
ディスクケース１０は、下ケース１１と、その下ケース１１の上に配置されるディスクトレイ１３と、蓋上の上ケース１２との３分割構造としてあり、下ケース１１にディスクトレイ１３が接合される。
ディスクトレイ１３の載置面１４の中心のディスク保持機構１５には、ディスク１の孔１ａ（図７）が嵌められて、ディスク１が保持される。上ケース１２は、２つの支点部１８が、下ケース１１側の孔１６に挿入されて、開閉自在に取付けられる。
【０００８】
ブースタアンテナ３は、下ケース１１とディスクトレイ１３との間に配置される。ブースタアンテナ３は、第１コイル部３ａと第２コイル部３ｃとを有し、両コイル部３ａ，３ｃを図示しない同調回路で接続してある。第１コイル部３ａは、円形に線材を巻回させてあり、ディスクトレイ１３のディスク保持機構１５の裏側に配置してある。第２コイル部３ｃは、横長の四角形に線材を巻回させてあり、下ケース１１の端面（側面）１７に配置してある。
【０００９】
この図８に示したディスクケース１０に、タグシート２を貼付けたディスク１を入れることで、このディスクケース１０の端面１７に近接したリーダ・ライタが、ブースタアンテナ３を経由して、タグシート２のＲＦＩＤタグ２ｂと通信を行うことになる。
【００１０】
即ち、無線通信状態を図９に示すと、ディスク１のＲＦＩＤチップ２ｂに同調回路２ｄを介して接続されたコイルアンテナ２ｃは、ブースタアンテナ３の第１コイル部３ａと近接し、信号の送受信が行われる。
ブースタアンテナ３の第１コイル部３ａは、同調回路３ｂを介して第２コイル部３ｂと接続してあり、この第２コイル部３ｂが、リーダ・ライタ４のコイルアンテナ４ａと近接することで、リーダ・ライタ４側と送受信が可能となる。コイルアンテナ４ａは、同調回路４ｂを介してリーダ・ライタ４の主回路４ｃと接続してあり、主回路４ｃからコイルアンテナ４ａ側に磁束を出力する。
【００１１】
このように図８に示したブースタアンテナ３をディスクケース１に取付けて、図９に示したようにこのブースタアンテナ３で中継させ、ディスクケース１の端面１７にリーダ・ライタを近接させることで、ディスク１に貼付けたＲＦＩＤタグ２ｂの読み書きが可能となる。
【００１２】
非特許文献１には、図書館における蔵書や貸出しの在出庫管理において、ＲＦＩＤタグを該当品に貼付けて、シェルフアンテナと高出力型リーダ・ライタを用い、１０〜２０枚単位でＲＦＩＤタグの情報を一括で読み取りを行うことについての記載がある。
【先行技術文献】
【特許文献】
【００１３】
【特許文献１】特開２００８−２０７８７５号公報
【非特許文献】
【００１４】
【非特許文献１】ＩＴ図書館システム  株式会社内田洋行http://www.uchida.co.jp/ulius/index.html
【発明の概要】
【発明が解決しようとする課題】
【００１５】
従来の非特許文献１に記載された如き構成の図書館用の管理システムは、例えば４Ｗ程度の高出力のリーダ・ライタを用い、シェルフアンテナ上のＲＦＩＤタグを複数枚一括読みする方式であり、１枚を特定して読む方式では無い。従って、１枚１枚のディスクの正確な収納位置を判断して管理することは、従来のシステムでは困難である。またデータベース側からの逆引きで管理ディスクの置き場所を探す際も、アンテナは特定するもののアンテナ上に複数枚あるタグから特定した１枚を瞬時に報知できるものでは無い。
【００１６】
本発明はかかる点に鑑みてなされたものであり、ディスクに配置されたＲＦＩＤタグとリーダ・ライタを使って、多数収納されたディスクの１枚ずつの確実な管理が良好にできるようにすることを目的とする。
【課題を解決するための手段】
【００１７】
本発明は、複数のディスクケースを収納して管理するディスク管理システムに適用される。
収納されるディスクケースは、ケース内のディスクに配置された非接触無線を行うタグの近傍とケースの端面とを中継するブースタアンテナを備える。
複数のディスクケースを収納する収納棚は、複数のディスクケースを１つ配置するディスクケース配置部と、ディスクケース配置部の１つのディスクケース配置箇所ごとに設けられ、端面と接する位置に配置された複数のリーダ・ライタ用アンテナを備える。
複数のリーダ・ライタ用アンテナは、スイッチを介して選択的にリーダ・ライタと接続する。そのリーダ・ライタ部でのタグとの通信に基づいて、ディスクケース配置部のそれぞれの配置箇所に配置されたディスクケース内のディスクを認識して、認識したディスクの収納位置をデータベースとして管理する。
【発明の効果】
【００１８】
本発明によると、収納棚に配置された複数のリーダ・ライタ用アンテナが、ディスクケースに内蔵されたブースタアンテナを介して、ディスクケース内のディスクのタグと通信を行い、タグのデータの読み出し及び書き込みが行える。この場合、リーダ・ライタ用アンテナが複数配置されて、それぞれの配置位置が、１つ１つのディスクケース収納場所に対応していることで、どのアンテナを介して通信が行えたかで、ディスクケース及びディスクの棚上の収納位置が判り、ディスクの収納棚への収納の有無の管理が良好に行える効果を有する。
【図面の簡単な説明】
【００１９】
【図１】本発明の一実施の形態の例による装置の一部を破断して示す斜視図である。
【図２】図１例の装置でディスクケースを収納した状態を示す斜視図である。
【図３】本発明の一実施の形態によるシステム構成例を示すブロック図である。
【図４】本発明の一実施の形態によるアンテナ切り替えとＬＥＤの点灯制御例を示す回路図である。
【図５】本発明の一実施の形態によるディスク管理処理例を示すフローチャートである。
【図６】本発明の一実施の形態によるディスク検索処理例を示すフローチャートである。
【図７】ディスクにタグシートを貼り付けた状態の例を示す説明図である。
【図８】ブースタアンテナ付きのディスクケースの構成例を示す説明図である。
【図９】ディスクとリーダ・ライタとの通信状態の例を示す構成図である。
【発明を実施するための形態】
【００２０】
以下、本発明の一実施の形態を、図１〜図６を参照して説明する。
本実施の形態においては、背景技術の欄で図７〜図９を用いて説明した、ディスク１の中心部の近傍に、ＲＦＩＤチップ２ｂ及びコイルアンテナ２ｃを配置したタグシート２を貼り付けたものを使用する。そのディスク１を収納するディスクケース１０についても、図８に示したようにブースタアンテナ３を備えて、ケースの端面１７に近接させたリーダ・ライタ用のアンテナで通信できる構成としたものを用意する。なお、本実施の形態においては、ＲＦＩＤチップ２ｂがブースタアンテナ３を介してリーダ・ライタとの間で近距離無線通信を行う通信方式については特に説明をしないが、ＲＦＩＤ用として既に実用化されている各種方式が適用可能であり、例えば１３．５６ＭＨｚを共振周波数として、リーダ・ライタとＲＦＩＤとの間で通信を行う。
【００２１】
図１及び図２は、本実施の形態の収納棚２０の構成例を示した図である。
収納棚２０は、底板２２の上に仕切り板２３が一定の間隔で配置してあり、この仕切り板２３で仕切られる位置に、１つのディスクケース１０を置くことができる。ディスクケース１０を置く際には、各ディスクケース１０の端面１７（図８参照）を下側にしておく。この端面１７は、ブースタアンテナ３の第２コイル部３ｃが配置された面である。
【００２２】
仕切り板２３で仕切られた各ディスクケースの収納場所の底板２２には、コイルアンテナ２１ａ，２１ｂ，・・・，２１ｍ，２１ｎ（ｎは任意の整数）が内蔵させてある。この複数のコイルアンテナ２１ａ〜２１ｎは、リーダ・ライタ用のアンテナとして機能するものであり、ディスクケースの収納場所に沿って細長い形状に導体を所定の複数回巻回させたアンテナである。各コイルアンテナ２１ａ〜２１ｎとリーダ・ライタとの接続状態については後述する。
【００２３】
また、図１に示すように、底板２２の前端部には、各ディスクケースの収納位置に対応して、発光手段であるＬＥＤ（発光ダイオード）３１ａ，３１ｂ，・・・，３１ｍ，３１ｎが配置してある。このＬＥＤ３１ａ〜３１ｎの点灯は、ディスクケースの収納状態に応じて制御される。点灯制御の詳細については後述するが、例えば、図２に示すようにディスクケースが正しい位置に収納された場合に、その収納位置の下のＬＥＤを点灯させる。
【００２４】
なお、図１及び図２では数個のディスクケース１０が収納される構成を示してあるが、実際には数十個あるいは百個以上のディスクケース１０を収納できる棚として構成される。また、図１では右端のディスクケース１０だけ内部にディスクが収納されている状態を示しているが、その他のディスクケース１０についても内部にディスクが収納されている。
【００２５】
次に、図１及び図２の構成の収納棚２０に接続されるリーダ・ライタなどの構成を、図３を参照して説明する。
収納棚２０の底板２２に配置した各コイルアンテナ２１ａ〜２１ｎは、図３に示すように、切り替えスイッチ４４に接続してあり、そのスイッチ４４を介してリーダ・ライタ４２と接続される。切り替えスイッチ４４は、管理部４１からの指令に基づいて、アンテナ制御部４３が切り替え制御する。例えばアンテナ制御部４３の制御で、切り替えスイッチ４４は、複数のコイルアンテナ２１ａ〜２１ｎを所定時間ごとに順に選択して接続させる切り替え処理を行う。例えばコイルアンテナ２１ａ〜２１ｎが１００個である場合、その１００個のコイルアンテナ２１ａ，２１ｂ，・・・を順に選択して、リーダ・ライタ４２に接続させて、その接続されたコイルアンテナで通信を行う。
【００２６】
各コイルアンテナ２１ａ〜２１ｎが接続されるリーダ・ライタ４２は、接続されたコイルアンテナから磁束を出力させて、ブースタアンテナ３を介して近接したＲＦＩＤチップと無線通信を行って、そのＲＦＩＤチップからデータを読み出すと共にデータを書き込ませる処理が行われる。このリーダ・ライタ４２による読み出し及び書き込みについては、近距離無線通信により読み書きを行うリーダ・ライタとして一般的なものが適用可能である。
【００２７】
リーダ・ライタ４２は、ディスクの管理を行う管理部４１に接続してある。この管理部４１とその周辺の処理部は、例えばパーソナルコンピュータ装置とその周辺機器で構成される。
リーダ・ライタ４２は、タグシート２側のＲＦＩＤチップから通信で得たデータを管理部４１に送ると共に、管理部４１から供給された書き込ませる必要のあるデータを、タグシート２側のＲＦＩＤチップに送信させる。
管理部４１には、収納棚２０で保管するディスクについてのデータを、データベース４２として保持する。このデータベース４２は、ディスクのコード番号や、ディスクに記録されたコンテンツに関するディスクなどの他に、どの収納棚２０のどの位置に配置されるのかのデータや、貸し出し中か否かなどのデータが保存される。
【００２８】
管理部４１には、ディスプレイ４５が接続してあり、ディスプレイ４５で管理状態を表示させることができる。また、キーボードなどの入力部４６を備えて、各種データの入力が行える構成としてある。
さらに、収納棚２０に配置したＬＥＤ３１ａ〜３１ｎの点灯を制御する点灯制御部４７を備え、管理部４１からの指令で、各ＬＥＤ３１ａ〜３１ｎを個別に点灯させることができる。例えば図２に示すように、ディスクケース１０が置かれた位置に対応した特定のＬＥＤ例えば３１ｂのみを点灯させることも可能である。
【００２９】
図４は、切り替えスイッチ４４とＬＥＤ３１ａ〜３１ｎの点灯を制御する具体的な回路構成を示した図である。図４では、１組のコイルアンテナとＬＥＤに接続される構成を示した図である。ＲＦ入力端子５１に送信信号が供給され、アンテナ切り替え信号入力端子５２にアンテナ制御部４３からの切り替え信号が供給され、点灯制御信号入力端子５３に点灯制御部４７からの点灯制御信号が供給される。
【００３０】
点灯制御信号入力端子５３に得られる点灯制御信号は、抵抗器Ｒ１を介してトランジスタＱ１のベースに供給し、トランジスタＱ１のコレクタ・エミッタ間に接続された発光ダイオードＤ１の点灯を制御する。発光ダイオードＤ１が、図１〜図３に示したＬＥＤ３１ａ〜３１ｎに相当する。発光ダイオードＤ１には並列にコンデンサＣ１が接続してあり、発光ダイオードＤ１のカソードを接地させてあり、トランジスタＱ１のベースとエミッタとの間に抵抗器Ｒ２が接続してある。
【００３１】
ＲＦ入力端子５１は、コンデンサＣ４，ＰＩＮダイオードＤ２，コイルＬ１の直列回路を介して、発光ダイオードＤ１のアノードに接続してある。コイルＬ１はコンデンサＣ１，Ｃ２と共にアンテナを構成する素子であり、コイルＬ１とコンデンサＣ１，Ｃ２の定数でアンテナとしての共振周波数が決まる。
また、所定の電源電圧Ｖｃｃ（例えば９Ｖ）が得られる電源ラインを、フォトカプラＩｃの発光ダイオード側と抵抗器Ｒ４を介してトランジスタＱ２のコレクタに接続してある。トランジスタＱ２のベースには、アンテナ切り替え信号入力端子５２に得られる切り替え信号が抵抗器Ｒ５を介して供給され、トランジスタＱ２のエミッタは接地させてあり、トランジスタＱ２のベースと接地側との間に抵抗器Ｒ６を接続してある。
【００３２】
また、電源電圧Ｖｃｃが得られる電源ラインを、フォトカプラＩｃの受光素子と抵抗器Ｒ３とコイルＬ２との直列回路を介して、コンデンサＣ４とＰＩＮダイオードＤ２との接続点に接続する構成としてある。さらに、ＰＩＮダイオードＤ２とコイルＬ１との接続点を、コンデンサＣ２を介して接地側と接続させてあり、抵抗器Ｒ３とコイルＬ２との接続点を、コンデンサＣ３を介して接地側と接続させてある。
【００３３】
この図４に示す回路構成としてあることで、アンテナ切り替え信号入力端子５２にローレベル“Ｌ”の信号が得られる状態では、トランジスタＱ２がオフ状態でＲＦ入力端子５１からの信号がアンテナであるコイルＬ１側には供給されない。これに対して、アンテナ切り替え信号入力端子５２にハイレベル“Ｈ”の信号が得られることで、トランジスタＱ２がオン状態となり、ＰＩＮダイオードＤ２に電流が流れて、アンテナであるコイルＬ１側に信号が流れて、無線送信が行われる。
【００３４】
また、点灯制御信号入力端子５３に得られる信号がハイレベル“Ｈ”であるときには、トランジスタＱ１がオン状態となり、発光ダイオードＤ１が非発光状態となり、点灯制御信号入力端子５３に得られる信号がローレベル“Ｌ”であるときには、トランジスタＱ１がオフ状態となり、発光ダイオードＤ１が発光状態となる。
【００３５】
次に、図３に示した管理部４１でのディスクの管理処理例を、図５及び図６のフローチャートを参照して説明する。
まず管理部４１はアンテナ切り替えコマンドを送出し（ステップＳ１１）、アンテナ制御部４３から図４に示した各トランジスタＱ２のオン・オフ制御を順に行って各収納位置のスキャンを行い、それぞれの位置のアンテナ２１ａ〜２１ｎを使って通信した結果から、ディスクケース内のディスクの位置を判別する（ステップＳ１２）。
【００３６】
そして、データベース４２に記憶されたディスクの位置と、ステップＳ１２でのスキャンで得た結果とを照合し（ステップＳ１３）、一致する場合には、ステップＳ１２のスキャンを定期的に随時行う。
ステップＳ１３で、データベースと一致しない場合には、データベースに記憶されたディスクが別の収納位置にあるか否か判断する（ステップＳ１４）。ここで、別の収納位置にある場合には、ディスクケースの置き間違いであると判断して（ステップＳ１５）、注意を促すアラーム処理を実行させる（ステップＳ１６）。この注意を促すアラーム処理としては、例えば置き間違いであると判別されたディスクの下側のＬＥＤを点滅させる。或いは、図３に示したディスプレイ４５での表示で警告させるようにしてもよい。
【００３７】
また、ステップＳ１４でデータベース上のディスクが、別の収納位置にもないと判断した場合、該当するディスクの貸し出し処理が行われているか否か判断し、貸し出し処理が行われていない場合には盗難された可能性があるとして、その旨をディスプレイ４５での表示などで警告させる。
貸し出し処理が行われている場合には、返却予定期間を過ぎて返却済みか否か判断し（ステップＳ１８）、返却予定期間を過ぎて返却されていない場合に、警報としてのアラーム処理を実行させる（ステップＳ１９）。この警報のアラーム処理については、例えば該当する収納位置の下側のＬＥＤを点滅させるか、図３に示したディスプレイ４５での表示で警告させる。
ステップＳ１８で返却済みである場合には、ステップＳ１２のアンテナスキャンに戻る。
【００３８】
図６は、収納棚２０にディスクケースが収納された状態で、必要なディスクが納められたディスクケースを探し出す処理例を示したものである。
まず、操作を行うユーザは、図３に示した入力部４６などによりディスク名（タイトル、曲名、演奏者名など）を入力させる（ステップＳ２１）。この入力されたディスクのデータをデータベース４２から探しだし、収納位置を特定する（ステップＳ２２）。その後、特定した収納位置の真下のアンテナを選択して、該当する収納位置に収納されたディスクケース内のディスクのＲＦＤＩチップとリーダ・ライタで通信させて、データベースと収納されたディスクとを照合させる（ステップＳ２３）。この照合で一致するか否か判断し（ステップＳ２４）、一致した場合には、該当する収納位置のＬＥＤを点灯させる（ステップＳ２５）。
【００３９】
また、ステップＳ２４で一致しない場合には、置き間違いであると判断して（ステップＳ２６）、注意を促すアラーム処理を実行させる。このアラーム処理としては、例えばステップＳ２１で指示されたディスクが間違って置かれた位置のＬＥＤを点滅させると共に、本来の収納位置のＬＥＤについても点滅させる。或いは、図３に示したディスプレイ４５での表示でアラーム処理を行う。
【００４０】
以上説明したように本実施の形態のシステム構成とすることで、ディスクに取付けたＲＦＩＤを読み出して、そのディスクの収納位置を判別することができ、ディスクの管理が良好に行える効果を有する。即ち、収納棚に置かれた全てのディスクについて、データベースに登録されたディスクと一致するか否かの管理が行え、また、それぞれのディスクの収納位置が正しいかについても判るようになる。
従って、ディスクを実際にディスク再生装置を使って再生させる作業をしないで、多数のディスクについてのデータを取得でき、効率のよい管理が行える。
【００４１】
また、例えば周期的に収納棚上のディスクの存在を管理部が確認することで、ディスクの抜き取りなどの盗難の監視についても行える。本実施の形態の場合には、ケースそのものにＲＦＩＤが貼られたものを検出するのではなく、ケース内部のディスクに取付けられたＲＦＩＤと通信するので、ディスクだけがケースから抜き取られた場合でも、そのことを検出でき、確実な盗難監視が行える。
【００４２】
さらに、収納されたディスクの中から必要なディスクを探す際にも、ＬＥＤの点灯などで判り、必要なディスクを簡単に探せるようになる。
また、ディスクを販売する商店の陳列棚に適用した場合には、ディスクの販売や盗難の管理ができるだけでなく、顧客の嗜好の調査も可能になる。即ち、例えばそれぞれのディスクケースが陳列棚（収納棚）から一時的に抜かれることを、管理部側でカウントすることで、顧客が興味をもっているディスクを調査でき、ディスクの販売などを行う上で有益な嗜好データが得られるようになる。
【００４３】
なお、上述した実施の形態で各図に示した構成や処理は、好適な一例を示したものであり、本発明は、これらの構成や処理に限定されるものではない。例えば、収納棚を図１に示したものとは異なる形状にしてもよい。図１の例では、仕切り板２３で収納位置を仕切る構成としたが、仕切り板２３がない構成としてもよい。発光手段としてもＬＥＤについても、図示のものとは異なる位置に配置してもよい。また、ＬＥＤについては、例えば複数の色で発光する構成として、正しい位置に配置されたものを第１の色（青色など）で点灯させ、盗難などを警告する際に第２の色（赤色など）で点灯させるようにしてもよい。
【００４４】
また、本実施の形態においては、図７に示すようにＲＦＩＤタグが取付けられたシートをディスクの中心近傍に貼付けたものを使用したが、その他の構成でディスクにＲＦＩＤタグが取付けたれたものに適用してもよい。例えば、ディスクにＲＦＩＤタグが埋め込まれたものに適用してもよい。或いは、ディスクケースにＲＦＩＤタグが貼付けられたものにも適用が可能である。
【符号の説明】
【００４５】
１…ディスク、１ａ…孔、２…タグシート、２ａ…孔、２ｂ…ＲＦＩＤチップ、２ｃ…コイルアンテナ、２ｄ…同調回路、３…ブースタアンテナ、３ａ…第１コイルアンテナ、３ｂ…同調回路、３ｃ…第２コイルアンテナ、４…リーダ・ライタ、４ａ…コイルアンテナ、４ｂ…同調回路、４ｃ…主回路、１０…ディスクケース、１１…下ケース、１２…上ケース、１３…ディスクトレイ、１４…ディスク載置部、１５…ディスク保持機構、１６…孔、１７…端面、１８…支点部、２０…収納棚、２１ａ〜２１ｎ…コイルアンテナ、２２…底板、２３…仕切り板、３１ａ〜３１ｎ…ＬＥＤ、４１…管理部、４２…データベース、４３…アンテナ制御部、４４…切り替えスイッチ、４５…ディスプレイ、４６…入力部、４７…点灯制御部、５１…ＲＦ入出力端子、５２…アンテナ切り替え信号入力端子、５３…点灯制御信号入力端子
【図１】
2010205345.tif 000003
【図２】
2010205345.tif 000004
【図３】
2010205345.tif 000005
【図４】
2010205345.tif 000006
【図５】
2010205345.tif 000007
【図６】
2010205345.tif 000008
【図７】
2010205345.tif 000009
【図８】
2010205345.tif 000010
【図９】
2010205345.tif 000011